(57)【要約】      （修正有）【課題】取扱いが容易で、かつ、低コストで製造可能な汚物処理袋を提供する。【解決手段】水溶性紙から成る第１の袋１と、第１の袋１に収容され両側部に折り込み部２１ａ、２１ｂが設けられた合成樹脂から成る第２の袋２と、から構成される汚物処理袋３において、第２の袋２の折り込み部２１ａ、２１ｂを外側に開き、第１の袋１および第２の袋２を共に平らに伸ばした条件下で、第２の袋２の外幅Ｗ２は、第１の袋１の内幅Ｗ１の１．０１〜１．２５倍の範囲であり、第２の袋２の外側の底辺から開口縁までの高さＨ２は、第１の袋１の内側の深さＨ１の１．４〜１．６倍の範囲である。第１の袋１を構成する水溶性紙には、消臭剤が含浸または消臭剤が糊剤に含有される。また、第２の袋２を構成する合成樹脂には、芳香剤が含浸され、第２の袋２には、摩擦力を低減するために、袋全体にエンボス加工が施される。【選択図】図１
0003210002.tif 000002
【実用新案登録請求の範囲】
【請求項１】
水溶性紙から成る第１の袋と、第１の袋に収容され両側部に折り込み部が設けられた合成樹脂から成る第２の袋と、から構成される汚物処理袋において、
第２の袋の折り込み部を外側に開き、第１の袋および第２の袋を共に平らに伸ばした条件下で、第２の袋の外幅は、第１の袋の内幅の１．０１〜１．２５倍の範囲であり、
第２の袋の外側の底辺から開口縁までの高さは、第１の袋の内側の深さの１．４〜１．６倍の範囲であり、
前記水溶性紙には消臭剤が含浸または消臭剤が糊剤に含有されたことを特徴とする汚物処理袋。
【請求項２】
第２の袋を構成する前記合成樹脂には芳香剤が含浸され、
第２の袋には少なくとも開口部の周縁にエンボス加工が施されたことを特徴とする請求項１に記載の汚物処理袋。
【請求項３】
上記の第１の袋と第２の袋には、第１の袋の開口部の内側周縁の中央部に設けられた１点の接着点で接着されたことを特徴とする請求項１又は２に記載の汚物処理袋。
【請求項４】
第２の袋の両側部の上部には、２つの輪っか状の手提げ部が延設されたことを特徴とする請求項１〜３の何れかに記載の汚物処理袋。
【考案の詳細な説明】
【技術分野】
【０００１】
本考案は、犬や猫などのペットその他の糞便を処理する汚物処理袋に関するものである。
【背景技術】
【０００２】
一般に、犬や猫などのペットを散歩させるときに、ペットの糞便を飼い主が処理することは、飼い主のモラルとされている。しかしながら、ペットの糞便の処理は、手間がかかり、また毎日必要となるものであることから、犬等のペットの飼い主にとって、簡易に糞便を処理できる用具が要望されている。
【０００３】
従来から、合成樹脂シート製の内袋と軟質紙製の外袋の二重構造に形成され、内袋と外袋を一体に反転して使用する汚物処理袋が知られている（特許文献１を参照。）。特許文献１に開示された汚物処理袋では、合成樹脂シート製の内袋から軟質紙製の外袋が脱落することを防ぐために、内袋と外袋は接合されており、反転後には分離可能となっている。
しかしながら、内袋と外袋を接合すると、接合の仕方によっては、後に分離する際に、一方の袋が破れ、他方の袋に貼りついたままとなる場合があり、ゴミの分別が困難になるという問題がある。
【０００４】
また、犬等のペットの糞を簡単に始末できるペット用糞処理用袋が知られている（特許文献２を参照。）。これは、紙製の外袋の内側に折り込み部が設けられたポリエチレン製の内袋を収容し、外袋と内袋の裏表を反転させて糞の処理を行うものである。
しかしながら、特許文献２に開示されたペット用糞処理用袋では、内袋と外袋の幅や高さについての適切なサイズについては十分に考慮されていなかった。そのため、内袋の高さが必要以上に大きく設けられた場合は、材料コストが高くなり、逆に低く設けられると、反転する際に扱いづらくなるという問題があった。また、内袋の幅が狭く設けられると、糞便を摘む際に内袋から外袋が脱落してしまい、逆に、広く設けられると、材料コストが高くなるという問題があった。
【０００５】
一方で、水溶性の包み袋に合成樹脂製の手持ち袋を収容した構造のペット用糞処理袋において、包み袋が、糞を処理しようとする際に手持ち袋と大きくずれたり、手持ち袋から抜け外れてしまうことがないようにして作業性を向上させるペット用糞処理袋が知られている（特許文献３を参照。）。手持ち袋と包み袋を、所定の強さの外力が作用することにより離脱可能な強さで接着する接着部を設ける点が特徴であるが、その例示としては３点の接着部を設けて行っており、接着剤のコストおよび製造コストが大きいものであった。
またユーザの観点に立てば、手持ち袋の開口が容易に行われることや、清潔感を醸し出す加工がなされていることが、商品付加価値を向上させるものであるが、従来の商品はそのような加工は、コストが高くなることから避けられていたという実情がある。
【先行技術文献】
【特許文献】
【０００６】
【特許文献１】実公平２−４０７６８号公報
【特許文献２】特開２００４−４９１１０号公報
【特許文献３】実用新案登録第３１３３１２７号公報
【考案の概要】
【考案が解決しようとする課題】
【０００７】
上記状況に鑑みて、本考案は、汚物処理の取扱いが容易で、低コストで製造可能であり、ユーザの観点における商品付加価値の高い汚物処理袋を提供することを目的とする。
【課題を解決するための手段】
【０００８】
上記課題を解決すべく、本考案の汚物処理袋は、水溶性紙から成る第１の袋と、第１の袋に収容され両側部に折り込み部が設けられた合成樹脂から成る第２の袋と、から構成される汚物処理袋において、第２の袋の折り込み部を外側に開き、第１の袋および第２の袋を共に平らに伸ばした条件下で、第２の袋の外幅は、第１の袋の内幅の１．０１〜１．２５倍の範囲であり、第２の袋の外側の底辺から開口縁までの高さは、第１の袋の内側の深さの１．４〜１．６倍の範囲であり、第１の袋を構成する水溶性紙には消臭剤が含浸又は消臭剤が糊剤に含有されたことを特徴とする。
ここで、汚物には、犬などペットの排泄物が含まれるがこれに限定されるものではなく、ヒトの排泄物その他の汚物が含まれる。
【０００９】
第２の袋（内袋）は、使用前の状態では第１の袋（外袋）の内側に一部が収容されているが、使用時には、第２の袋（内袋）の中に手を挿入して、第１の袋（外袋）および第２の袋（内袋）を広げて、糞便を摘む。そして、第２の袋（内袋）の外側が、第１の袋（外袋）の内側と接触し、適度な摩擦力を有することで、第２の袋（内袋）から第１の袋（外袋）が抜け落ちず、容易に糞便を摘み処理することが可能となる。
第２の袋（内袋）に用いられる合成樹脂としては、ポリエチレンが好適に用いられるが、その他の合成樹脂であっても構わない。
ここで、第２の袋（内袋）の外幅が、第１の袋（外袋）の内幅の１．０１未満であると、糞便を摘む際に、第２の袋（内袋）から第１の袋（外袋）が脱落しやすくなり、また、１．２５倍よりも広く設けられても脱落防止の効果はそれ以上に向上はしないため、１．２５倍以下とすることにより、材料コストを抑えることができる。
【００１０】
第２の袋（内袋）の外側の底辺から開口縁までの高さは、第１の袋（外袋）と第２の袋（内袋）の表裏を反転させる際に、手が汚れず、また反転後に確実に汚物を収容可能な高さに設けられている必要がある。しかしながら、高すぎると製造コストが高くなり、また却って扱いづらくなる。
そして、第２の袋（内袋）の外側の底辺から開口縁までの高さが、第１の袋（外袋）の内側の高さの１．４倍未満であると、手が汚れたり、使用後に汚物が第１の袋から漏れ出る可能性があり、また、１．６倍を越えると却って扱いづらくなる。そこで、１．４〜１．６倍の範囲で設けられる。
【００１１】
また、第１の袋（外袋）を構成する水溶性紙には消臭剤が含浸される。或は、袋を構成するために水溶性紙同士の接着に用いる糊剤に消臭剤が含有されてもよい。これにより、使用後に発生する汚物処理袋内の悪臭を低減することができる。糊剤は、袋を構成するための紙と紙の左右側端や底端に塗布する。
また、第２の袋（内袋）を構成する合成樹脂には芳香剤が含浸されることにより、使用後に発生する汚物処理袋内の悪臭をより低減することができる。手を袋の中に入れる第２の袋（内袋）を構成する合成樹脂には芳香剤が含浸されていることにより、清潔感を醸し出せる。
さらに、第２の袋（内袋）を構成する合成樹脂には抗菌剤が含浸されてもよく、これにより、より清潔感を醸し出すことができる。
第２の袋（内袋）の少なくとも開口部の周縁にエンボス加工が施されることにより、摩擦力が低減され、袋を開けやすい構造となっている。第２の袋（内袋）全体にエンボス加工が施されることでもよい。
さらに袋を開けやすくするため、第２の袋（内袋）の開口縁に孔が設けられたり、或は、第２の袋（内袋）の開口縁が波形状とされていてもよい。
これらの特徴は、ユーザの観点において商品付加価値を高めることに繋がるのである。
【００１２】
本考案の汚物処理袋において、第２の袋（内袋）の両側部の上部には、２つの輪っか状の手提げ部が延設されたことが好ましい。
手提げ部が設けられることで、第１の袋（外袋）および第２の袋（内袋）の表裏を反転させる際に、袋に挿入した手とは逆の手で手提げ部を把持して反転させることができるので、作業を容易にする。
ここで、輪っか状の手提げ部は、一般にレジ袋等に用いられるような手提げ部が好適に用いられるが、その他の形状であっても構わない。
【００１３】
本考案の汚物処理袋において、第１の袋（外袋）と第２の袋（内袋）は、第１の袋（外袋）の開口部の内側周縁の中央部に設けられた１点の接着点で接着されたことが好ましい。上下逆さまにした時に、第１の袋（外袋）から第２の袋（内袋）が脱落することを阻止できる。中央部に設けられた接着点は１箇所でも十分に脱落を阻止可能である。
ここで、接着とは、のり付け又は圧着等によりなされる。第１の袋と第２の袋が接着されることにより、第２の袋から第１の袋がより脱落し難くなる。また、接着点を１箇所とすることで、接着剤のコストが低減でき、使用後に、第１の袋（外袋）と第２の袋（内袋）を容易に分離することができる。
【考案の効果】
【００１４】
本考案の汚物処理袋によれば、汚物処理の取扱いが容易で、低コストで製造可能であり、ユーザの観点における商品付加価値の高いといった効果を有する。
【図面の簡単な説明】
【００１５】
【図１】実施例１の汚物処理袋の正面図
【図２】実施例１の第１の袋の説明図
【図３】実施例１の第２の袋の正面図であり、（１）は折り込み部が内側へ折り込まれた状態、（２）は折り込み部が外側へ広げられた状態を示している。
【図４】実施例１の汚物処理袋の使用イメージ図１
【図５】実施例１の汚物処理袋の使用イメージ図２
【図６】実施例２の汚物処理袋の使用イメージ図
【図７】第２の袋の正面開口縁の例
【考案を実施するための最良の形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、実施例１の汚物処理袋の正面図を示している。
図１に示すように、汚物処理袋３は、第１の袋１および第２の袋２から成り、第２の袋２の一部は、第１の袋１に収容されている。
第２の袋２の外側の底辺２４から開口縁２３までの高さＨ２は、第１の袋１の高さＨ１の１．５倍となっている。これにより、ペットの糞便を把持して、第１の袋１と第２の袋２を反転させる際に、手を汚すことなく反転させることができ、また、余分な材料コストをかけない構造とすることができる。
また、袋内部に第２の袋２を収容できるように、第１の袋１の内幅Ｗ１は、第２の袋２の折り込み部（２１ａ，２１ｂ）が折り込まれた状態での第２の袋２の外幅Ｗ２よりも広く設けられている。具体的には、内幅Ｗ１は２２ｃｍ、外幅Ｗ２は２０ｃｍとなっている。
なお、図示しないが、第２の袋２には、袋全体にエンボス加工が施されており、摩擦力が低減され、袋を開けやすい構造となっている。
【００１８】
図２は、実施例１の第１の袋の説明図を示している。
図２に示すように、第１の袋１は、元々長方形の水溶性紙を折り畳み、左右の辺を接着し、接着部（１１ａ，１１ｂ）を設けることで、袋状に形成されている。上部の辺は接着されておらず、開口縁１２となっている。
【００１９】
図３は、実施例１の第２の袋の正面図であり、（１）は折り込み部が内側へ折り込まれた状態、（２）は折り込み部が外側へ広げられた状態を示している。
図３（１）に示すように、第２の袋２は、折り込み部（２１ａ，２１ｂ）が内側へ折り込まれた状態の外幅Ｗ２よりも、図３（２）に示すように、折り込み部（２１ａ，２１ｂ）が外側へ広げられた状態での外幅Ｗ３の方が広くなっている。具体的には、外幅Ｗ３は２４ｃｍである。但し、折り込み部（２１ａ，２１ｂ）は底辺２４において、折り込んだ形状のまま圧着加工されているため、底辺２４の幅は広がらない構造となっている。
第２の袋２の折り込み部が外側へ広げられた状態では、第２の袋２の外幅Ｗ３は、第１の袋１の内幅Ｗ１よりも広く設けられ、外幅Ｗ３は内幅Ｗ１の約１．０９倍となっている。これにより、汚物処理袋３を使用する際に、第２の袋２の中に手を挿入して、第２の袋２を広げることで、第１の袋１と第２の袋２の間に適度な摩擦力が生まれ、第２の袋２から第１の袋１が脱落することなく、容易にペットの糞便を摘むことができる。
【００２０】
図４は、実施例１の汚物処理袋の使用イメージ図を示している。
図４に示すように、汚物処理袋３は、第１の袋１の中に第２の袋２が収容された状態で、第２の袋２の中に手４を挿入して、第１の袋１および第２の袋２を介して糞便５を摘んで使用する。
第１の袋１は吸水性のある紙が２枚重ねられて形成されているので、糞便５が水分を含んでいても、その水分を吸収することができる。また、第２の袋２はポリエチレンで形成されているので、糞便５が水分を含んでいても第２の袋２にまでは染み込まない構造となっている。
使用者は、手４で、第１の袋１および第２の袋２を介して糞便５を摘んだ状態で、もう一方の手で第２の袋２の手提げ部（２２ａ，２２ｂ）又は開口縁２３を把持して、手４を抜き出すように第１の袋１および第２の袋２の表裏を反転させる。これにより、糞便５は汚物処理袋３の内部に収容される。
【００２１】
図５は、実施例１の汚物処理袋の使用イメージ図を示している。
図５に示すように、糞便５は汚物処理袋３の内部に収容されている。また、結び目２５は手提げ部２２ａと手提げ部２２ｂを結ぶことによって形成されたものである。
すなわち、第１の袋１および第２の袋２の表裏を反転させた後、手提げ部２２ａと手提げ部２２ｂを結んで、糞便や糞便から発生する悪臭が漏れないようにしている。このように、手提げ部（２２ａ，２２ｂ）が設けられたことにより、開口縁２３を容易に閉じることができる。
また、例えば、散歩中に使用する場合であれば、使用後は、手提げ部（２２ａ，２２ｂ）を把持して汚物処理袋３を持ち帰ることができる。
汚物処理袋３は、水溶性紙製の第１の袋と、ポリエチレン製の第２の袋２で構成されているので、ごみ焼却施設によっては、分別せずに、そのまま廃棄することも可能である。
なお、第１の袋１には消臭剤が含浸され、第２の袋２には、芳香剤が含浸されているため、悪臭の発生を抑制することができる。
【実施例２】
【００２２】
図６は、実施例２の汚物処理袋の使用イメージ図を示している。
図６に示すように、汚物処理袋３０では、実施例１における第２の袋２とは異なり、第２の袋２０には、手提げ部が設けられていない。
したがって、第１の袋１および第２の袋２０の表裏を反転させる際には、もう一方の手で開口縁２３を把持して、手４を抜き出すように第１の袋１および第２の袋２の表裏を反転させる。このような構成とされることより、第２の袋２０の製造が容易となり。製造コストを抑えることができる。
【００２３】
（その他の実施例）
＜Ａ＞  図７は、第２の袋の正面開口縁の例であり、（１）は開口縁に台形状、（２）は開口縁にジグザグ状、（３）は開口縁に丸孔の加工が施されたものである。第２の袋の正面開口縁の例として３つの態様を説明する。
図７（１）に示す例では、第２の袋２６の開口縁２６ａは台形状に形成されており、袋を開けやすい構造となっている。図７（２）に示す例では、第２の袋２７の開口縁２７ａはジグザグ状に形成されているため、角部が多く、袋を開けやすい構造となっている。図７（３）に示す例では、第２の袋２８の開口縁２８ａは丸孔が開けられているため、袋を開けやすい構造となっている。
【００２４】
＜Ｂ＞  実施例１では、第１の袋１の内幅Ｗ１は２２ｃｍ、外幅Ｗ２は２０ｃｍであってが、目的に応じて他のサイズでもよい。例えば、第１の袋および第２の袋のスケールは、上記実施例１で示した袋の０．５〜３倍であってもよい。
例えば、実施例１で示した袋のサイズの約０．５倍のサイズの汚物処理袋は、小型のペットの糞便を処理する場合に扱いやすく利便性が高いといえる。また、逆に大型犬等の大型のペットの場合には、処理する糞便の量も多いので、実施例１で示した袋のサイズの約３倍のサイズの汚物処理袋を用いることでもよい。
【産業上の利用可能性】
【００２５】
本考案は、ペットの糞便を処理する用具として有用である。
【符号の説明】
【００２６】
１  第１の袋
２，２０，２６〜２８  第２の袋
３，３０  汚物処理袋
４  手
５  糞便
１１ａ，１１ｂ  接着部
１２  開口縁
２１ａ，２１ｂ  折り込み部
２２ａ，２２ｂ  手提げ部
２３  開口縁
２４  底辺
２５  結び目
Ｈ  高さ
Ｗ１  内幅
Ｗ２，Ｗ３  外幅
【図１】
0003210002.tif 000003
【図２】
0003210002.tif 000004
【図３】
0003210002.tif 000005
【図４】
0003210002.tif 000006
【図５】
0003210002.tif 000007
【図６】
0003210002.tif 000008
【図７】
0003210002.tif 000009